(57)【要約】【課題】変化に富んだ遊び方を可能とする磁石式プレート玩具を提供する。【解決手段】磁石式プレート玩具１は、互いに対向して配置された第１プレート１０及び第２プレート３０と、第１プレート１０及び第２プレート３０の対向方向Ｄに延び、第１プレート１０と第２プレート３０とを接続している接続部５０と、を備える。第１プレート１０は、第１プレート部材１１と、第１プレート部材１１の内部に設けられた複数の第１磁石と、を有し、第２プレート３０は、第２プレート部材３１と、複数の第１磁石に対応して第２プレート部材３１の内部に設けられた複数の第２磁石と、を有する。第２プレート３０は、対向方向Ｄを回転軸方向として回転可能に接続部５０に接続されている。【選択図】図１
2020157008.tif 000002
【特許請求の範囲】
【請求項１】
互いに対向して配置された第１プレート及び第２プレートと、
前記第１プレート及び前記第２プレートの対向方向に延び、前記第１プレートと前記第２プレートとを接続している接続部と、を備え、
前記第１プレートは、第１プレート部材と、前記第１プレート部材の内部に設けられた複数の第１磁石と、を有し、
前記第２プレートは、第２プレート部材と、前記複数の第１磁石に対応して前記第２プレート部材の内部に設けられた複数の第２磁石と、を有し、
前記第２プレートは、前記対向方向を回転軸方向として回転可能に前記接続部に接続されている、磁石式プレート玩具。
【請求項２】
前記第１プレート及び前記第２プレートは、前記対向方向において互いに離間している、請求項１に記載の磁石式プレート玩具。
【請求項３】
前記接続部は、前記対向方向に延びる軸部材と、前記軸部材の外周面に設けられた突部と、を有し、
前記第２プレート部材には、前記軸部材が配置される凹部が設けられており、
前記凹部の内周面には、前記凹部の周方向に延び、前記突部が配置される溝が設けられており、
前記対向方向から見て、前記凹部の内接円は、前記軸部材の外接円よりも大きい、請求項１又は２に記載の磁石式プレート玩具。
【請求項４】
前記対向方向から見て、前記凹部の内接円は、前記接続部の外接円よりも小さい、請求項３に記載の磁石式プレート玩具。
【請求項５】
前記対向方向から見て、前記軸部材の外周面及び前記凹部の内周面は、それぞれ円形状を呈している、請求項３又は４に記載の磁石式プレート玩具。
【請求項６】
前記第２プレート部材は、前記対向方向で前記第１プレートと対向する内部材と、前記対向方向で前記内部材と対向する外部材と、を有し、
前記凹部は、前記内部材及び前記外部材をそれぞれ貫通する貫通孔を含み、
前記溝は、前記内部材と前記外部材との間に設けられている、請求項３〜５のいずれか一項に記載の磁石式プレート玩具。
【請求項７】
前記内部材は、前記貫通孔の周縁を補強する補強部を有している、請求項６に記載の磁石式プレート玩具。
【発明の詳細な説明】
【技術分野】
【０００１】
本発明の一側面は、磁石式プレート玩具に関する。
【背景技術】
【０００２】
従来、連結対象に磁気的に連結される磁石式プレート玩具が知育用玩具として知られている（例えば、特許文献１参照）。特許文献１に記載された磁石式プレート玩具は、多角形状のプレート部材を備えている。プレート部材の内部には、プレート部材の辺部に沿って磁石が設けられている。プレート部材は、当該磁石の磁力を利用して他の磁石式プレート玩具に磁気的に連結される。このような磁石式プレート玩具によれば、遊びを通じて子供の創造力及び想像力を養うことが図られる。
【先行技術文献】
【特許文献】
【０００３】
【特許文献１】実用新案登録第３１６１６９８号公報
【発明の概要】
【発明が解決しようとする課題】
【０００４】
上述したような磁石式プレート玩具においては、プレート部材を連結させて組み立てるだけでは遊び方が限定され易く、子供に飽きられないように、変化に富んだ遊び方が求められる。
【０００５】
そこで、本発明の一側面は、変化に富んだ遊び方を可能とする磁石式プレート玩具を提供する。
【課題を解決するための手段】
【０００６】
本発明の一側面に係る磁石式プレート玩具は、互いに対向して配置された第１プレート及び第２プレートと、第１プレート及び第２プレートの対向方向に延び、第１プレートと第２プレートとを接続している接続部と、を備え、第１プレートは、第１プレート部材と、第１プレート部材の内部に設けられた複数の第１磁石と、を有し、第２プレートは、第２プレート部材と、複数の第１磁石に対応して第２プレート部材の内部に設けられた複数の第２磁石と、を有し、第２プレートは、対向方向を回転軸方向として回転可能に接続部に接続されている。
【０００７】
この磁石式プレート玩具では、第１プレート及び第２プレートが接続部によって互いに接続されている。第２プレートは、第１プレート及び第２プレートの対向方向を回転軸方向として回転可能に接続部に接続されている。したがって、第２プレートを、接続部及び接続部に接続された第１プレートに対して相対的に回転させることができる。これにより、変化に富んだ遊び方を可能とすることができる。
【０００８】
この磁石式プレート玩具では、第１プレート及び第２プレートは、対向方向において互いに離間していてもよい。この場合、第１プレート及び第２プレートが離間してない場合に比べて、第１磁石と第２磁石との間に作用する磁気的な力が弱まる。これにより、弱い力でも第２プレートを容易に回転させることができる。
【０００９】
この磁石式プレート玩具では、接続部は、対向方向に延びる軸部材と、軸部材の外周面に設けられた突部と、を有し、第２プレート部材には、軸部材が配置される凹部が設けられており、凹部の内周面には、凹部の周方向に延び、突部が配置される溝が設けられており、対向方向から見て、凹部の内接円は、軸部材の外接円よりも大きくてもよい。この場合、第２プレートを回転可能に接続部に接続させることができる。
【００１０】
この磁石式プレート玩具では、対向方向から見て、凹部の内接円は、接続部の外接円よりも小さくてもよい。この場合、接続部の突部が溝に引っかかるので、接続部の対向方向の移動を制限することができる。
【００１１】
この磁石式プレート玩具では、前記対向方向から見て、軸部材の外周面及び凹部の内周面は、それぞれ円形状を呈していてもよい。この場合、軸部材を凹部内でスムーズに回転させることができる。
【００１２】
この磁石式プレート玩具では、第２プレート部材は、対向方向で第１プレートと対向する内部材と、対向方向で内部材と対向する外部材と、を有し、凹部は、内部材及び外部材をそれぞれ貫通する貫通孔を含み、溝は、内部材と外部材との間に設けられていてもよい。この場合、溝が内部材と外部材との間に設けられているので、例えば、内部材又は外部材に接続部を配置した状態で、内部材及び外部材を組み合わせることにより、突部を容易に溝に配置することができる。
【００１３】
この磁石式プレート玩具では、内部材は、貫通孔の周縁を補強する補強部を有していてもよい。この場合、内部材の損傷を抑制することができる。
【発明の効果】
【００１４】
本発明の一側面によれば、変化に富んだ遊び方を可能とする磁石式プレート玩具を提供することができる。
【図面の簡単な説明】
【００１５】
【図１】実施形態に係る磁石式プレート玩具を示す斜視図である。
【図２】図１の磁石式プレート玩具を示す分解斜視図である。
【図３】図１の磁石式プレート玩具を示す側面図である。
【図４】図１の第１プレートを示す斜視図である。
【図５】図１の第２プレートを示す斜視図である。
【図６】図１の第２プレート及び接続部を示す斜視図である。
【図７】変形例に係る磁石式プレート玩具を示す断面図である。
【発明を実施するための形態】
【００１６】
以下、添付図面を参照して、本発明の好適な実施形態について詳細に説明する。なお、以下の説明において、同一又は相当要素には同一符号を付し、重複する説明を省略する。
【００１７】
図１は、実施形態に係る磁石式プレート玩具を示す斜視図である。図２は、図１の磁石式プレート玩具を示す分解斜視図である。図３は、図１の磁石式プレート玩具１を示す側面図である。図１〜図３に示される磁石式プレート玩具１は、遊びを通じて子供の創造力及び想像力を養うための知育用玩具である。磁石式プレート玩具１は、第１プレート１０と、第２プレート３０と、接続部５０と、備えている。後述のように、接続部５０のフランジ５２は第２プレート３０の貫通孔４２を通過できないため、正確には、第２プレート３０を分解することによって、図２のように接続部５０及び第２プレート３０を別々にすることができる。
【００１８】
第１プレート１０及び第２プレート３０は、互いに対向して配置されている。第１プレート１０及び第２プレート３０の対向方向Ｄは、第１プレート１０及び第２プレート３０の厚さ方向と一致している。第１プレート１０及び第２プレート３０は、対向方向Ｄにおいて互いに離間している。第１プレート１０及び第２プレート３０の離間距離は、例えば１３ｍｍである。第１プレート１０は接続部５０に固定されている。第２プレート３０は、対向方向Ｄを回転軸方向として回転可能に接続部５０に接続されている。
【００１９】
接続部５０は、対向方向Ｄに延び、第１プレート１０と第２プレート３０とを接続している。接続部５０は、軸部材５１と、フランジ５２（突部）と、閉塞部材５３と、３つの嵌合部５４と、を有している。軸部材５１は、円筒形状を呈し、対向方向Ｄに延びている。すなわち、軸部材５１の軸方向は、対向方向Ｄと一致している。軸部材５１は、第１プレート１０側に位置する端部５１ａと、第２プレート３０側に位置する端部５１ｂと、を有している。軸部材５１の外周面５１ｃは、対向方向Ｄから見て、円形状を呈している。軸部材５１の内径は、例えば３２ｍｍであり、外径は、例えば３４ｍｍである。軸部材５１の対向方向Ｄの長さは、例えば１３ｍｍである。
【００２０】
フランジ５２は、軸部材５１の外周面５１ｃに設けられた突部である。フランジ５２は、外周面５１ｃから径方向に突出している鍔状部材である。フランジ５２の径方向の長さ（すなわち、フランジ５２が外周面５１ｃから径方向に突出している突出高さ）は、例えば２ｍｍである。フランジ５２の厚さ（対向方向Ｄの長さ）は、例えば１．２ｍｍである。フランジ５２は、外周面５１ｃの全周にわたって設けられており、対向方向Ｄから見て、円環状を呈している。フランジ５２は、端部５１ｂの近傍に設けられている。閉塞部材５３は、対向方向Ｄに直交する円板部材であり、軸部材５１の内部を閉塞している。閉塞部材５３の外縁は、軸部材５１の内周面に接続されている。閉塞部材５３は、端部５１ｂの近傍に設けられている。
【００２１】
嵌合部５４は、後述する第１プレート１０の嵌合部１９と嵌合される円筒部材である。嵌合部５４は、閉塞部材５３に設けられ、対向方向Ｄに延びている。嵌合部５４は、閉塞部材５３を対向方向Ｄに貫通するように、閉塞部材５３に設けられている。
【００２２】
接続部５０は、例えばＡＢＳ樹脂（アクリロニトリル−ブタジエン−スチレン共重合体）等のプラスチック製である。接続部５０は、例えば射出成形により形成されている。
【００２３】
図４は、図１の第１プレートを示す斜視図である。図４では、後述する蓋部材１４が省略して示されている。図１〜図４に示されるように、第１プレート１０は、第１プレート部材１１と、第１プレート部材１１の内部に設けられた複数の第１磁石１２と、を有している。第１プレート部材１１は、対向方向Ｄから見て、例えば、三角形状、矩形状等の多角形状を呈している。本実施形態では、第１プレート部材１１は、対向方向Ｄから見て、１辺が例えば７５ｍｍの正方形状を呈している。
【００２４】
第１プレート部材１１は、中空部材である。第１プレート部材１１は、対向方向Ｄで互いに対向する底部材１３及び蓋部材１４を有している。第１プレート部材１１は、蓋部材１４が第２プレート３０と対向方向Ｄで対向するように配置されている。つまり、底部材１３は、磁石式プレート玩具１の外側に配置された外部材であり、蓋部材１４は、磁石式プレート玩具１の内側に配置された内部材である。
【００２５】
底部材１３は、図４に示されるように、一面が開口された箱状部材である。底部材１３は、正方形状の底壁１５と、４つの矩形状の外側壁１６と、円筒状の内側壁１７と、８つの収容壁１８と、３つの嵌合部１９と、を有している。底壁１５は、蓋部材１４と対向方向Ｄで対向している。
【００２６】
蓋部材１４の中央には、図２に示されるように、円形状の貫通孔２０が設けられている。蓋部材１４の上面には、軸部材５１の端部５１ａと接続される接続用突部２１が形成されている。接続用突部２１は、貫通孔２０の周縁に形成されている。接続用突部２１は、対向方向Ｄから見て、端部５１ａと重なり、円環状を呈している。接続用突部２１の突出高さは、例えば２ｍｍである。
【００２７】
外側壁１６は、底壁１５の外縁に設けられ、底壁１５の外縁と蓋部材１４の外縁とを接続するように、対向方向Ｄに延びている。内側壁１７は、底壁１５の中央に設けられ、底壁１５の中央と貫通孔２０の周縁とを接続するように、対向方向Ｄに延びている。収容壁１８は、底壁１５の外縁部に設けられ、底壁１５の外縁部と蓋部材１４の外縁部とを接続するように、対向方向Ｄに延びている。外側壁１６の対向方向Ｄの長さは、例えば６．４ｍｍであり、内側壁１７、及び収容壁１８の対向方向Ｄの長さは、例えば４．０ｍｍである。
【００２８】
収容壁１８は、底壁１５、外側壁１６及び蓋部材１４と共に第１磁石収容部を構成している。第１磁石収容部は、第１磁石１２の大きさに対応する内部空間を有し、この内部空間に第１磁石１２を収容して保持する。第１磁石１２は、第１磁石収容部によらず、例えば接着等で第１プレート部材１１の内部に固定されていてもよい。
【００２９】
嵌合部１９は、図２及び図４に示されるように、接続部５０の嵌合部５４と嵌合される円筒部材である。嵌合部１９は、嵌合部５４に対応して底壁１５に設けられている。嵌合部１９は、貫通孔２０により露出された底壁１５の中央に設けられている。嵌合部１９は、底壁１５から接続部５０に向かって対向方向Ｄに延びている。嵌合部１９の頂部は、貫通孔２０を通って蓋部材１４の外側に位置している。嵌合部１９は、外径が嵌合部５４の内径と一致するように形成されている。嵌合部１９の頂部が嵌合部５４内に嵌合された状態で、嵌合部５４側から挿通されたボルト２によって、嵌合部１９と嵌合部５４とが結合されている。
【００３０】
底部材１３の内部には、複数のリブ２２が設けられている。リブ２２は、底壁１５に設けられ、対向方向Ｄに延びている。リブ２２の頂部は、超音波溶着等により蓋部材１４に接合されている。リブ２２によれば、第１プレート部材１１の強度が向上する。
【００３１】
第１プレート部材１１は、底部材１３の開口が蓋部材１４によって覆われることで形成されている。底部材１３と蓋部材１４とは、底部材１３の縁部に設けられた円筒状の８つの嵌合部２３が、蓋部材１４の縁部に設けられた円筒状の８つの嵌合部（不図示）とそれぞれ互いに嵌合することにより、組み立てられている。底壁１５の四隅に設けられた嵌合部２３は、金属製の鳩目２４（図１参照）によって蓋部材１４の対応する嵌合部（不図示）と結合されている。
【００３２】
第１プレート部材１１は、例えばＡＢＳ樹脂（アクリロニトリル−ブタジエン−スチレン共重合体）等のプラスチック製である。第１プレート部材１１は、例えば射出成形により形成されている。
【００３３】
第１磁石１２は、例えばフェライト磁石である。第１磁石１２は、例えば直方体状であり、概略外形寸法は、例えば２０ｍｍ×５ｍｍ×３ｍｍである。第１磁石１２は、第１プレート部材１１の縁部内において、第１プレート部材１１の辺（外側壁１６）に沿って設けられている。第１磁石１２は、第１磁石収容部に収容されている。第１プレート部材１１の縁部は、少なくとも第１磁石収容部を含んでいる。第１磁石１２は、外側壁１６の内側に、外側壁１６に隣接するように設けられている。第１磁石１２は、各外側壁１６に沿って２つずつ並設されている。
【００３４】
第１磁石１２は、対向方向Ｄの一方側に配置されたＮ極部と、対向方向Ｄの他方側に配置されたＳ極部とを有している。同じ外側壁１６に沿って並設された２つの第１磁石１２は、対向方向ＤにおけるＮ極部及びＳ極部の位置が互いに反対となるように配置されている。第１プレート１０では、同じ外側壁１６に沿って第１磁石１２を偶数並設することができる。各第１磁石１２は、Ｎ極部及びＳ極部が、当該外側壁１６の重心に対して点対称となるように配置されている。ここでは、外側壁１６は長方形状を呈しているので、外側壁１６の重心は、外側壁１６の対角線の交点と一致している。
【００３５】
図５は、図１の第２プレートを示す斜視図である。図６は、図１の第２プレート及び接続部を示す斜視図である。図５及び図６では、後述する蓋部材３４が省略して示されている。図１〜図３、図５及び図６に示されるように、第２プレート３０は、第２プレート部材３１と、第２プレート部材３１の内部に設けられた複数の第２磁石３２と、を有している。第２プレート部材３１は、対向方向Ｄから見て、例えば、三角形状、矩形状等の多角形状を呈している。本実施形態では、第２プレート部材３１は、対向方向Ｄから見て、第１プレート部材１１と同様に、１辺が例えば７５ｍｍの正方形状を呈している。
【００３６】
第２プレート部材３１は、中空部材である。第２プレート部材３１は、対向方向Ｄで互いに対向する底部材３３（内部材）及び蓋部材３４（外部材）を有している。第２プレート部材３１は、底部材３３が第１プレート１０と対向方向Ｄで対向するように配置されている。つまり、底部材３３は、磁石式プレート玩具１の内側に配置された内部材であり、蓋部材３４は、磁石式プレート玩具１の外側に配置された外部材である。
【００３７】
底部材３３は、図５に示されるように、一面が開口された箱状部材である。底部材３３は、底壁３５と、４つの矩形状の外側壁３６と、円筒状の内側壁３７と、８つの収容壁３８と、を有している。底壁３５は、蓋部材３４と対向方向Ｄで対向している。
【００３８】
蓋部材３４の中央には、図２に示されるように、接続部５０の軸部材５１が配置される円形状の貫通孔４０が設けられている。貫通孔４０は、軸部材５１が配置可能な大きさに形成されている。すなわち、貫通孔４０の内径は、軸部材５１の外径よりも大きい。対向方向Ｄから見て、貫通孔４０の内接円は、軸部材５１の外接円よりも大きい。貫通孔４０は、フランジ５２が通過できない大きさに形成されている。すなわち、貫通孔４０の内径は、フランジ５２の外径よりも小さい。対向方向Ｄから見て、貫通孔４０の内接円は、接続部５０の外接円よりも小さい。貫通孔４０の内径は、例えば、３５ｍｍである。
【００３９】
蓋部材３４は、フランジ５２を保持する保持用突部４１を有している。保持用突部４１は、貫通孔４０の周縁に設けられ、第２プレート部材３１の内側に向かって対向方向Ｄに突出している。保持用突部４１は、フランジ５２を挟んで、後述する保持用突部４３と対向方向Ｄで対向している。保持用突部４１は、対向方向Ｄから見て、円環状を呈している。保持用突部４１の突出高さは、例えば３ｍｍである。保持用突部４１は、貫通孔４０の周縁を補強する補強部としても機能している。
【００４０】
底壁３５は、図５に示されるように、対向方向Ｄから見て、正方形状を呈している。底壁３５は、図３にも示されるように、第１底部３５ａと、第１底部３５ａから第１プレート１０側に膨出した膨出部３５ｂとを有している。対向方向Ｄから見て、膨出部３５ｂは、底壁３５の中央に配置されている。第１底部３５ａは、膨出部３５ｂの周りに配置され、底壁３５の外縁を全て含んでいる。膨出部３５ｂは、第２底部３５ｃと、接続部３５ｄとを有している。第２底部３５ｃは、第１底部３５ａと平行に配置されている。第２底部３５ｃは、対向方向Ｄから見て、例えば直径６０ｍｍの円形状を呈している。接続部３５ｄは、対向方向Ｄに延びる円筒形状を呈し、第１底部３５ａと第２底部３５ｃとを接続している。接続部３５ｄの対向方向Ｄの長さは、例えば６ｍｍである。接続部３５ｄは、内側壁３７と連続するように、内側壁３７と一体的に形成されている。対向方向Ｄから見て、接続部３５ｄ及び内側壁３７は、互いに重なっている。
【００４１】
第２底部３５ｃの中央には、図２及び図５に示されるように、接続部５０の軸部材５１が配置される円形状の貫通孔４２が設けられている。貫通孔４２は、接続部５０の軸部材５１が配置可能な大きさに形成されている。すなわち、貫通孔４２の内径は、軸部材５１の外径よりも大きい。対向方向Ｄから見て、貫通孔４２の内接円は、軸部材５１の外接円よりも大きい。貫通孔４２は、フランジ５２が通過できない大きさに形成されている。すなわち、貫通孔４２の内径は、フランジ５２の外径よりも小さい。対向方向Ｄから見て、貫通孔４２の内接円は、接続部５０の外接円よりも小さい。貫通孔４２は、例えば、貫通孔４０と同形状を呈し、対向方向Ｄから見て、貫通孔４０と重なっている。貫通孔４２の内径は、例えば、３５ｍｍである。
【００４２】
第２底部３５ｃは、保持用突部４１と共にフランジ５２を保持する保持用突部４３を有している。保持用突部４３は、貫通孔４２の周縁に設けられ、第２プレート部材３１の内側に向かって対向方向Ｄに突出している。保持用突部４３は、フランジ５２を挟んで、保持用突部４１と対向方向Ｄで対向している。保持用突部４３は、対向方向Ｄから見て、円環状又は円筒状を呈している。保持用突部４３の突出高さは、例えば７ｍｍである。保持用突部４３は、貫通孔４２の周縁を補強する補強部としても機能している。底部材３３には膨出部３５ｂが設けられているので、保持用突部４３の突出高さを高くすることができる。これにより、補強効果を高めることができる。
【００４３】
貫通孔４０，４２及び保持用突部４１，４３は、軸部材５１が配置（挿入）される凹部６０を構成している。本実施形態では、凹部６０は、第２プレート３０の全体を対向方向Ｄに貫通するように、第２プレート３０に設けられている。保持用突部４１と保持用突部４３との間の隙間は、フランジ５２が配置される溝６１を構成している。溝６１は、保持用突部４１と保持用突部４３との間に設けられ、フランジ５２が配置可能な大きさに形成されている。すなわち、溝６１の幅（対向方向Ｄの長さ）は、フランジ５２の厚さ（対向方向Ｄの長さ）よりも大きい。溝６１の幅は、例えば、２ｍｍである。溝６１は、凹部６０の内周面６０ａに設けられ、凹部６０の周方向に延びていると言える。溝６１は、フランジ５２の対向方向Ｄへの移動を制限する。すなわち、接続部５０の対向方向Ｄへの移動は、溝６１によって制限されている。接続部５０の対向方向Ｄへの移動範囲は、溝６１の幅によって設定される。
【００４４】
外側壁３６は、第１底部３５ａの外縁に設けられ、第１底部３５ａの外縁と蓋部材３４の外縁とを接続するように、対向方向Ｄに延びている。内側壁３７は、第１底部３５ａの内縁に設けられ、第１底部３５ａの内縁と蓋部材３４とを接続するように、対向方向Ｄに延びている。収容壁３８は、第１底部３５ａの外縁部に設けられ、第１底部３５ａの外縁部と蓋部材３４の外縁部とを接続するように、対向方向Ｄに延びている。外側壁３６の対向方向Ｄの長さは、例えば６．４ｍｍであり、内側壁３７、及び収容壁３８の対向方向Ｄの長さは、例えば４．０ｍｍである。
【００４５】
収容壁３８は、第１底部３５ａ、外側壁３６及び蓋部材３４と共に第２磁石収容部を構成している。第２磁石収容部は、第２磁石３２の大きさに対応する内部空間を有し、この内部空間に第２磁石３２を収容して保持する。第２磁石３２は、第２磁石収容部によらず、例えば接着等で第２プレート部材３１の内部に固定されていてもよい。
【００４６】
底部材３３の内部には、複数のリブ４５が設けられている。リブ４５は、第１底部３５ａに設けられ、対向方向Ｄに延びている。リブ４５の頂部は、超音波溶着等により蓋部材３４に接合されている。リブ４５によれば、第２プレート部材３１の強度が向上する。
【００４７】
第２プレート部材３１は、底部材３３の開口が蓋部材３４によって覆われることで形成されている。底部材３３と蓋部材３４とは、第１底部３５ａの縁部に設けられた円筒状の８つの嵌合部４６が、蓋部材３４の縁部に設けられた円筒状の８つの嵌合部（不図示）とそれぞれ互いに嵌合することにより、組み立てられている。第１底部３５ａの四隅に設けられた嵌合部４６は、金属製の鳩目４７（図１参照）によって蓋部材３４の対応する嵌合部と結合されている。
【００４８】
底部材３３と蓋部材３４とは、第２底部３５ｃに設けられた４つの円筒状の嵌合部４８が、蓋部材３４に設けられた円筒状の４つの嵌合部４９（図１参照）とそれぞれ互いに嵌合することによっても、組み立てられている。嵌合部４８は、第２底部３５ｃから蓋部材３４に向かって対向方向Ｄに延びている。嵌合部４８は、外径が嵌合部４９の内径と一致するように形成されている。嵌合部４８の頂部が嵌合部４９内に嵌合された状態で、嵌合部４９側から挿通されたボルト３によって、嵌合部４８と嵌合部４９とが結合されている。
【００４９】
上述のように、フランジ５２が貫通孔４２を通過できないため、接続部５０と第２プレート３０とを組み立てるには、まず、図６に示すように、蓋部材３４が取り付けられていない状態の底部材３３に接続部５０を配置する。続いて、鳩目４７及びボルト３によって蓋部材３４を底部材３３に取り付け、第２プレート３０を組み立てる。これにより、接続部５０と第２プレート３０とを一体的に組み立てることができる。
【００５０】
第２プレート部材３１は、例えばＡＢＳ樹脂（アクリロニトリル−ブタジエン−スチレン共重合体）等のプラスチック製である。第２プレート部材３１は、プラスチック製とすることで、例えば射出成形により容易に製造可能となる。
【００５１】
第２磁石３２は、第１磁石１２と同様に、例えばフェライト磁石である。第２磁石３２は、第１磁石１２に対応して設けられている。具体的には、第２磁石３２の形状及び個数は、第１磁石１２と同様である。各第２磁石３２は、対向方向Ｄから見て、各第１磁石１２と重なるように配置されている。第２磁石３２は、第２プレート部材３１の縁部内おいて、第２プレート部材３１の辺（外側壁３６）に沿って設けられている。第２磁石３２は、第２磁石収容部に収容されている。第２プレート部材３１の縁部は、少なくとも第２磁石収容部を含んでいる。第２磁石３２は、外側壁３６の内側に、外側壁３６に隣接するように設けられている。第２磁石３２は、各外側壁３６に沿って２つずつ並設されている。
【００５２】
第２磁石３２は、対向方向Ｄの一方側に配置されたＮ極部と、対向方向Ｄの他方側に配置されたＳ極部とを有している。第２磁石３２は、第１磁石１２と同様に配置されている。すなわち、同じ外側壁３６に沿って並設された２つの第２磁石３２は、対向方向ＤにおけるＮ極部及びＳ極部の位置が互いに反対となるように配置されている。第２プレート３０では、同じ外側壁３６に沿って第２磁石３２を偶数並設することができる。各第２磁石３２は、Ｎ極部及びＳ極部が、当該外側壁３６の重心に対して点対称となるように配置されている。
【００５３】
以上のように構成された磁石式プレート玩具１では、互いに対向して配置された第１プレート１０及び第２プレート３０が接続部５０によって互いに接続されている。第２プレート３０は、対向方向Ｄを回転軸方向として回転可能に接続部５０に接続されている。したがって、第２プレート３０を、接続部５０及び接続部５０に接続された第１プレート１０に対して相対的に回転させることができる。これにより、変化に富んだ遊び方を可能とすることができる。
【００５４】
第１プレート１０及び第２プレート３０は、対向方向Ｄにおいて離間している。したがって、第１プレート１０及び第２プレート３０が離間してない場合に比べて、第１磁石１２と第２磁石３２との間に作用する磁気的な力が弱まる。これにより、子供の弱い力でも第２プレート３０を容易に回転させることができる。
【００５５】
第１プレート１０及び第２プレート３０は、対向方向Ｄから見て、第１プレート１０及び第２プレート３０の各辺が互いに一致する位置において、第１磁石１２及び第２磁石３２が互いに最も引き付け合うように構成されている。したがって、例えば、手で第２プレート３０を動かして回転させた場合に、第２プレート３０から手を離した位置にかかわらず、第２プレート３０は、対向方向Ｄから見て、第１プレート１０及び第２プレート３０の各辺が互いに一致する位置まで回転しようとする。この作用の大きさは、例えば、第１プレート１０及び第２プレート３０の離間距離（第１磁石１２及び第２磁石３２の離間距離）によって設定することができる。手を離してからも第１プレート１０及び第２プレート３０が所定位置まで回転するので、子供に想像力を与えることができる。
【００５６】
また、例えば、手で第２プレート３０を動かして回転させた場合、対向方向Ｄから見て、第１プレート１０及び第２プレート３０の各辺が互いに一致する位置を通るときに力が必要となり、それ以外の位置を通るときはほとんど力が必要とならない。このようなクリック感は、例えば、第１プレート１０及び第２プレート３０の離間距離（第１磁石１２及び第２磁石３２の離間距離）によって設定することができる。
【００５７】
接続部５０は、対向方向Ｄに延びる軸部材５１と、軸部材５１の外周面５１ｃに設けられたフランジ５２と、を有している。第２プレート部材３１には、軸部材５１が配置される凹部６０が設けられている。凹部６０の内周面６０ａには、凹部６０の周方向に延び、フランジ５２が配置される溝６１が設けられている。対向方向Ｄから見て、凹部６０の内接円は、軸部材５１の外接円よりも大きい。これにより、凹部６０内に軸部材５１を回転可能に配置することができる。これにより、第２プレート３０を回転可能に接続部５０に接続させることができる。
【００５８】
対向方向Ｄから見て、凹部６０の内接円は、接続部５０の外接円よりも小さい。本実施形態では、接続部５０の外接円は、フランジ５２の外縁により規定される。したがって、フランジ５２が溝６１に引っかかるので、接続部５０の対向方向Ｄの移動を制限することができる。
【００５９】
軸部材５１は、円筒形状を呈し、貫通孔４０，４２は円形状を呈している。つまり、対向方向Ｄから見て、軸部材５１の外周面５１ｃ及び凹部６０の内周面６０ａは、それぞれ円形状を呈している。このため、軸部材５１を凹部６０内でスムーズに回転させることができる。
【００６０】
第２プレート部材３１は、対向方向Ｄで第１プレート１０と対向する底部材３３と、対向方向Ｄで底部材３３と対向する蓋部材３４と、を有する。凹部６０は、底部材３３の貫通孔４２及び蓋部材３４の貫通孔４０を含む。溝６１は、底部材３３と蓋部材３４との間に設けられている。このため、例えば、底部材３３に接続部５０を配置した状態で、底部材３３と蓋部材３４とを組み合わせることにより、フランジ５２を容易に溝６１に配置することができる。
【００６１】
底部材３３は、貫通孔４０の周縁を補強する補強部として保持用突部４３を有している。これにより、底部材３３の損傷を抑制することができる。蓋部材３４は、貫通孔４２の周縁を補強する補強部として保持用突部４１を有している。これにより、蓋部材３４の損傷を抑制することができる。
【００６２】
第１磁石１２及び第２磁石３２は、それぞれ第１プレート部材１１の縁部及び第２プレート部材３１の縁部に設けられているので、各縁部に他の磁石式プレート部材（不図示）を接合することができる。これにより、更に変化に富んだ遊び方が可能となる。
【００６３】
以上、本発明の実施形態について説明したが、本発明は上記実施形態に限られるものではなく、各請求項に記載した要旨を変更しない範囲で変形し、又は他のものに適用したものであってもよい。
【００６４】
図７は、変形例に係る磁石式プレート玩具を示す断面図である。図７に示されるように、変形例に係る磁石式プレート玩具１Ａでは、図２及び図３に示される膨出部３５ｂ、貫通孔４０、保持用突部４１及び保持用突部４３が第２プレート３０Ａに設けられていない。凹部６０は貫通孔４２によって構成されている。凹部６０は、第２プレート３０Ａの全体を貫通していない。フランジ５２は、軸部材５１の端部５１ｂに設けられている。
【００６５】
磁石式プレート玩具１，１Ａでは、第１プレート１０が接続部５０，５０Ａに固定されているが、第１プレート１０が第２プレート３０，３０Ａと同様に、対向方向Ｄを回転軸方向として回転可能に接続部５０，５０Ａに接続されていてもよい。
【００６６】
磁石式プレート玩具１，１Ａでは、軸部材５１は、対向方向Ｄに延びる柱状を呈してればよく、軸部材５１の外周面５１ｃは、対向方向Ｄから見て、例えば多角形状を呈していてもよい。また、凹部６０の内周面６０ａは、対向方向Ｄから見て、例えば多角形状を呈していてもよい。これらの場合であっても、対向方向Ｄから見て、凹部６０の内接円は、軸部材５１の外接円よりも大きいので、第２プレート３０，３０Ａを回転可能に接続部５０，５０Ａに接続させることができる。
【００６７】
磁石式プレート玩具１，１Ａは、３つ以上のプレートを備えてもよい。例えば、磁石式プレート玩具１，１Ａは、第２プレート３０，３０Ａを介して第１プレート１０と対向方向Ｄで互いに対向する第３プレート（不図示）を更に備え、接続部５０，５０Ａが第１プレート１０及び第２プレート３０，３０Ａだけでなく、第２プレート３０，３０Ａ及び第３プレートを互いに接続していてもよい。この場合、第３プレートは、接続部５０，５０Ａに回転可能に接続されていてもよい。
【符号の説明】
【００６８】
１，１Ａ…磁石式プレート玩具、１０…第１プレート、１１…第１プレート部材、１２…第１磁石、３０，３０Ａ…第２プレート、３１…第２プレート部材、３２…第２磁石、３３…底部材（内部材）、３４…蓋部材（外部材）、４０…貫通孔、４１…保持用突部、４２…貫通孔、４３…保持用突部（補強部）、５０，５０Ａ…接続部、５１…軸部材、５１ｃ…外周面、５２…フランジ（突部）、６０…凹部、６０ａ…内周面、６１…溝、Ｄ…対向方向。
【図１】
2020157008.tif 000003
【図２】
2020157008.tif 000004
【図３】
2020157008.tif 000005
【図４】
2020157008.tif 000006
【図５】
2020157008.tif 000007
【図６】
2020157008.tif 000008
【図７】
2020157008.tif 000009